(57)【要約】【課題】  キャビネットと昇降ラックの間に形成される隙間から昇降式吊戸棚内部に虫やホコリ等の異物を侵入させることのない昇降式吊戸棚を提供することを目的としている。【解決手段】  本発明の昇降式昇降式吊戸棚１００は、底面と前面が開放されたキャビネット１７０と、キャビネット１７０の前面に配置される扉１７２と、キャビネット１７０と扉１７２とで形成される空間に収納され、キャビネット１７０から昇降可能な昇降ラック１９０と、キャビネット１７０の天板の前面および側板の前面に設けられ扉１７２との隙間を塞ぐ固定パッキン１８２と、キャビネット１７０の内周面および扉１７２の内面であって昇降ラック１９０の底板１９２に対応する部分に配置され、キャビネット１７０と昇降ラック１９０との隙間を塞ぐ摺動パッキン１８４と、を備えることを特徴としている。【選択図】  図３
2009011392.tif 000002
【特許請求の範囲】
【請求項１】
底面と前面が開放されたキャビネットと、
前記キャビネットの前面に配置される扉と、
前記キャビネットと前記扉とで形成される空間に収納され、前記キャビネットから昇降可能な昇降ラックと、
前記キャビネットの天板の前面および側板の前面に設けられ前記扉との隙間を塞ぐ固定パッキンと、
前記キャビネットの内周面および前記扉の内面であって前記昇降ラックの底板に対応する部分に配置され、前記キャビネットと昇降ラックとの隙間を塞ぐ摺動パッキンと、
を備えることを特徴とする昇降式吊戸棚。
【請求項２】
前記扉は上下に分割された上扉と下扉とからなり、
前記上扉は前記キャビネットに開閉可能に取り付けられ、
前記下扉は前記昇降ラックの昇降と逆方向に上下動することを特徴とする請求項１に記載の昇降式吊戸棚。
【請求項３】
前記摺動パッキンは、モヘア形状であることを特徴とする請求項１または請求項２に記載の昇降式吊戸棚。
【請求項４】
前記昇降ラックの外周面の下端に外側に向かって突出し、傾斜面を有する段差が設けられていることを特徴とする請求項１乃至請求項３のいずれか１項に記載の昇降式吊戸棚。
【請求項５】
請求項１乃至請求項４のいずれか１項に記載の昇降式吊戸棚と、
キッチンとを備え、
前記昇降式吊戸棚は、前記キッチンの上方に設けられたことを特徴とするシステムキッチン。
【発明の詳細な説明】
【技術分野】
【０００１】
本発明は、防虫および防塵機構を備えた昇降式吊戸棚、およびこれを備えたシステムキッチンに関するものである。
【背景技術】
【０００２】
厨房において、キッチン等の調理設備の上部には空間が空いているため、キッチンの上方に吊戸棚を設置している場合が多い。厨房では、碗、皿、カップ等の食器類、鍋、フライパン等の調理器具、塩、胡椒等の調味料など、大小様々な物を使用する。このため、これらの食器類、調理器具、調味料等は上記吊戸棚に収納される。
【０００３】
また、生活様式や食生活の多様化に伴って、上記した食器類、調理器具、調味料等は増加傾向にある。さらに昨今のシステムキッチンの高機能化に伴い、上記吊戸棚においても、さらなる使い勝手の良さや便利さ等を求める要望もある。
【０００４】
そこで従来からも、上方に位置する棚（ラック）を、必要に応じて手動や電動によって昇降する昇降式吊戸棚が提案されている。昇降式吊戸棚は、例えば吊戸棚全体が昇降するもの（例えば特許文献１）や、吊戸棚の前面に配置された扉を開けてから、吊戸棚内に設置された収納棚を回転アームで支持しながら手前側下方に引き降ろすもの（例えば特許文献２）、キャビネットと、このキャビネットからほぼ垂直方向に昇降可能な昇降ラックを備えたもの（例えば特許文献３）等がある。
【０００５】
特許文献１に記載された構成にあっては、吊戸棚全体が昇降するため昇降装置が大掛かりとなり、また、駆動機構が外部から見えるために美感を向上しにくいという問題がある。また、特許文献２に記載された構成にあっては、引き降ろした収納棚が調理者に向かって回転して降りてくるため、調理作業の邪魔になり、頻繁に収納棚を出し入れしなければならず手間がかかるという問題がある。このため近年は、特許文献３に記載されたように、キャビネットからほぼ垂直方向に昇降可能な昇降ラックを備えた構成が多く採用されている。
【０００６】
さらに近年は、吊戸棚を収納のために使うことに限らず、他の用途に使うことも提案されている。特許文献４には、昇降式吊戸棚に乾燥の機能を備えたり、仕切板によって区画することによって収納と乾燥の両方の機能を持たせたりした構成が記載されている。
【特許文献１】特開平１１−４６８８６号公報
【特許文献２】特開２００４−２２２８８６号公報
【特許文献３】特開２００６−０００６７７号公報
【特許文献４】特開２００４−２９８４２４号公報
【発明の開示】
【発明が解決しようとする課題】
【０００７】
しかし、上記特許文献３のように昇降ラックをほぼ垂直方向に昇降させる構成にあっては、昇降ラックをキャビネット内でスムーズに昇降させるために、キャビネットと昇降ラックとの間に１０〜２０ｍｍ程度の間隔を必要とする。従って、キャビネット内に昇降ラックを収納した状態において、キャビネットの内側面下部と昇降ラックを形成する底板との間に上記間隔分の隙間が形成されることとなる。この隙間から、虫やホコリ等の異物が吊戸棚内部に侵入し、当該吊戸棚に収納されている食器類、調理器具、調味料等を汚染し不衛生になってしまうおそれがあった。
【０００８】
そこで本発明は、キャビネットと昇降ラックの間に形成される隙間から昇降式吊戸棚内部に虫やホコリ等の異物が侵入することを防止しうる昇降式吊戸棚を提供することを目的としている。
【課題を解決するための手段】
【０００９】
上述の課題を解決するために、本発明にかかる昇降式吊戸棚の代表的な構成は、底面と前面が開放されたキャビネットと、キャビネットの前面に配置される扉と、キャビネットと扉とで形成される空間に収納され、キャビネットから昇降可能な昇降ラックと、キャビネットの天板の前面および側板の前面に設けられ扉との隙間を塞ぐ固定パッキンと、キャビネットの内周面および扉の内面であって昇降ラックの底板に対応する部分に配置され、キャビネットと昇降ラックとの隙間を塞ぐ摺動パッキンと、を備えることを特徴とする。
【００１０】
上記構成によれば、キャビネットの天板の前面および側板の前面に固定パッキンを設置することによって、キャビネットと扉との隙間を塞ぐことができる。さらに、キャビネットの内周面および扉の内面であって昇降ラックの底板に対応する部分に摺動パッキンを設置することによって、キャビネットと昇降ラックとの隙間を塞ぐことが可能となる。上述のように、固定パッキンと摺動パッキンを備えることにより、昇降ラックがキャビネット内に完全に収納されたときに、外からホコリや虫等の異物がキャビネット内に進入することがなくなる。従って、キャビネット内を常に衛生的に保つことが可能となる。
【００１１】
また、扉は上下に分割された上扉と下扉とからなり、上扉はキャビネットに開閉可能に取り付けられ、下扉は昇降ラックの昇降と逆方向に上下動してもよい。
【００１２】
即ち、昇降ラックがキャビネットに収容されているときには、上扉および下扉によって昇降ラック内の収納物は被覆されている。そして、昇降ラックが下降してキャビネットの下方に出現するときは、これと連動して下扉が上方へ移動する。これにより、昇降ラックの上端がキャビネットの下端より下降せずとも、昇降ラックの開放前面は使用者の目の前に出現する。従って、昇降ラックの可動範囲を狭くすることができ、昇降動作時間を短縮したり、昇降式吊戸棚の高さ方向の寸法を大きくして容積増大を図ったりすることができる。
【００１３】
また、摺動パッキンは、モヘア形状であってもよい。なおモヘア形状のパッキンとは、連続して植え付けられた長い繊維によって封止するパッキンである。摺動パッキンは、キャビネットの内周面および扉の内面であって昇降ラックの底板に対応する部分に設置される。このため、摺動パッキンは、昇降ラックが昇降する度に、昇降ラックと擦過することとなる。ここでモヘア形状のパッキンは、封止距離が長く、また摺動抵抗が小さいという特徴を有する。このため、摺動パッキンをモヘア形状にすることによって、昇降ラックをスムーズに昇降させることができ、かつキャビネットと昇降ラックとの隙間を確実に塞ぐことが可能となる。
【００１４】
また、昇降ラックの外周面の下端に外側に向かって突出し、傾斜面を有する段差が設けられていてもよい。これにより、昇降ラックの外周面の下端と摺動パッキンの当接面積が小さくても、確実にキャビネットと昇降ラックとの隙間を塞ぐことが可能となる。また、昇降ラックの外周面の下端と摺動パッキンとの擦過距離が減少するため、昇降ラックが昇降する際に生じる擦過音を小さくすることが可能となる。
【００１５】
本発明の他の構成によれば、上記の昇降式吊戸棚と、キッチンとを備え、昇降式吊戸棚は、キッチンの上方に設けられたことを特徴とする。これにより、キャビネットと昇降ラックの間に形成される隙間から昇降式吊戸棚内部に虫やホコリ等の異物を侵入させることのない昇降式吊戸棚を備えたシステムキッチンが提供される。
【発明の効果】
【００１６】
以上説明したように本発明の昇降式吊戸棚およびこれを備えたシステムキッチンによれば、衛生的で使い勝手のよいシステムキッチンを提供することが可能となる。
【発明を実施するための最良の形態】
【００１７】
本発明にかかる昇降式吊戸棚およびこれを備えたシステムキッチンの実施の形態について、図を用いて説明する。なお、以下の実施形態に示す、寸法、材料、その他具体的な数値などは、発明の理解を容易とするための例示に過ぎず、特に断る場合を除き、本発明を限定するものではない。また本明細書及び図面において、実質的に同一の機能構成を有する構成要素については、同一の符号を付することにより重複説明を省略する。
【００１８】
（実施形態）
図１は、本発明の実施形態である昇降式吊戸棚１００を含むキッチンの全体図である。昇降式吊戸棚１００は、その収納物をキッチン使用者の目の高さまで下ろし、高所にある扉を開閉することなく収納物を取り出せるようにしたものである。
【００１９】
本実施形態に係る昇降式吊戸棚１００の下方には、システムキッチン１１０が設置されている。システムキッチン１１０のワークトップ１２０には、シンク１３０、調理スペース１４０およびコンロ１５０の概ね３つの部位で構成されている。かかるシステムキッチン１１０のうち、シンク１３０および調理スペース１４０の幅にわたる領域の上方において、昇降式吊戸棚１００は、壁５００に背面を固定支持されている。一方、コンロ１５０の上方には、昇降式吊戸棚１００に隣接して、レンジフード１６０が同様に壁５００に固定支持されている。
【００２０】
ここで、コンロ１５０は、ガス加熱調理器や石油加熱調理器を利用することができるが、図示したように上面に耐熱ガラス板やセラミック板を設けたＩＨヒータであってもよい。また、水回りを形成するシンク１３０は、樹脂やステンレス鋼板等の金属を材料として用い、プレス成形や注型成形、インジェクション成形等により水切り凹部や排水口と一体形成される。
【００２１】
図２は、昇降式吊戸棚１００の斜視図である。昇降式吊戸棚１００は、底面と前面が開放されたキャビネット１７０と、キャビネット１７０の前面に配置される扉１７２と、キャビネット１７０と扉１７２とで形成される空間に収納され、キャビネット１７０から下方に向かって昇降可能な昇降ラック１９０とで構成されている。昇降ラック１９０は前面が開放されており、食器や台所回りの物品を出し入れすることができる。また、昇降ラックは、収納機能のほか、乾燥機能を備えることもできる。
【００２２】
上記キャビネット１７０は、壁５００に固定されている。このため、キャビネット１７０は不動であり、昇降ラック１９０が図２中矢印で示すように、上下方向にのみ移動する。従って、昇降式吊戸棚１００の可動範囲は上下方向のみであり、水平方向は常に一定の面積を維持したままである。これにより、可動範囲が水平方向に広がることはなく、使用者が調理中に昇降ラック１９０を出し入れしても、調理の邪魔になることがない。
【００２３】
上記扉１７２は、上扉１７４と下扉１７６とで構成されており、これらは、昇降ラック１９０がキャビネット１７０に収容されているときに、昇降ラック１９０内の収納物を被覆している。そして昇降ラック１９０が下降してキャビネット１７０の下方に出現するときは、これと連動して下扉１７６が上方へ移動する。
【００２４】
これにより、昇降ラック１９０の上端がキャビネット１７０の下端より下降せずとも、昇降ラック１９０の開放前面は使用者の目の前に出現する。従って、昇降ラック１９０の可動範囲を狭くすることができ、昇降動作時間を短縮したり、昇降式吊戸棚１００の高さ方向の寸法を大きくして容積増大を図ったりすることができる。
【００２５】
なお、上扉１７４は昇降ラック１９０の昇降に拘らず移動しない。ただし、上扉１７４の上端はキャビネット１７０の天板にヒンジ接続されていて、下端は自由端となっている。したがって、下端を持ち上げることにより、上端を軸として上扉１７４を上方に開くことが可能である。
【００２６】
昇降ラック１９０がキャビネット１７０に収容されているときは、上扉１７４および下扉１７６はフラットな状態に保たれている。一方、昇降ラック１９０が下降すると、上扉１７４は動かず、下扉１７６だけが上昇する。キャビネット１７０の両側面には下扉１７６を案内する溝状のガイド溝が設けられており、下扉１７６は上扉１７４を回避して上昇する。これにより下扉１７６は、上昇する際に上端が前方に２０ｍｍ程度傾きつつ上昇する。
【００２７】
昇降ラック１９０の底板１９２の前面は、従来、ステンレスにアルミニウム製のフレームを取り付けて剛性を確保していたが、本実施形態では、板金を曲げた（段差が設けられた）構造をしている。これによりステンレス鋼の地肌を前面に出すことができ、剛性の確保と共に高級感を向上させることができる。
【００２８】
図３は、キャビネット１７０の斜視図である。なお図３では明確化のため、上扉１７４および下扉１７６は図示を省略している。図３に示すように、キャビネット１７０の天板の前面１７０ａおよび側板の前面１７０ｂに固定パッキン１８２（図３中拡大図）が設置されている。固定パッキン１８２の材質は、上扉１７４および下扉１７６の押力によって変形し、天板の前面１７０ａおよび側板の前面１７０ｂに密着しうる可撓性（たわむことのできる性質）を備えたものであればよい。例えば、ＡＢＳ（アクリロニトリルブタジエンスチレン共重合体）、ＥＶＡ（エチレン酢酸ビニル共重合体）、シリコンゴム、天然ゴム等の樹脂材料を好適に用いることができる。
【００２９】
さらに、固定パッキン１８２は、キャビネット１７０の上扉１７４の下端と当接する位置にも設けられている。これにより、上扉１７４の下端およびキャビネット１７０の隙間を確実に塞ぐことが可能となる。本実施形態において、上扉１７４の下端と当接する位置に設けられた固定パッキン１８２の材質は、発泡ウレタンであるが、これに限定されず上扉１７４の押力によって変形し、キャビネット１７０の上扉１７４の下端に対応する位置に密着しうる可撓性（たわむことのできる性質）を備えたものであればよい。
【００３０】
固定パッキン１８２を備えることにより、キャビネット１７０と上扉１７４および下扉１７６とに形成される隙間を塞ぐことができる。
【００３１】
図４は、昇降式吊戸棚１００の底面図である。図４に示すように、キャビネット１７０の内周面および下扉１７６の内面であって、昇降ラック１９０の底板１９２に対応する部分に摺動パッキン１８４（図４中斜線で示す）が設置されている。
【００３２】
摺動パッキン１８４は、モヘア形状である。なおモヘア形状のパッキンとは、連続して植え付けられた長い繊維によって封止するパッキンである。摺動パッキン１８４は、キャビネット１７０の内周面および下扉１７６の内面であって昇降ラック１９０の底板１９２に対応する部分に設置されるため、昇降ラック１９０が昇降する度に、昇降ラック１９０と擦過することとなる。摺動パッキン１８４を、モヘア形状にすることによって、昇降ラック１９０をスムーズに昇降させることができ、キャビネット１７０と昇降ラック１９０との隙間を確実に塞ぐことが可能となる。
【００３３】
図５は、本実施形態にかかる摺動パッキン１８４と昇降ラック１９０の外周面の下端を拡大した図である。なお図５では明確化のため、下扉１７６は図示を省略している。図５に示すように、昇降ラック１９０は、外周面の下端に外側に向かって突出し、傾斜面を有する段差１９４ａが設けられた構造であるため、昇降ラック１９０がほぼ上端に上昇するときまで摺動パッキン１８４は昇降ラック１９０に接触しない。そして摺動パッキン１８４が段差１９４ａに接触することにより、摺動パッキン１８４との当接面積が小さくても、確実にキャビネット１７０と昇降ラック１９０との隙間を塞ぐことが可能となる。また、昇降ラック１９０の外周面の下端と摺動パッキン１８４との擦過距離が減少するため、昇降ラック１９０が昇降する際に生じる擦過音を小さくすることが可能となる。
【００３４】
上記構成の固定パッキン１８２と摺動パッキン１８４を備えることにより、昇降ラック１９０がキャビネット１７０内に完全に収納されたときに、外からホコリや虫等の異物がキャビネット１７０内に進入することがなくなる。また、固定パッキン１８２および摺動パッキン１８４は、使用者が視認しない位置に設置されるため、美観を損なうことなく、確実に、キャビネット１７０内を常に衛生的に保つことが可能となる。
【００３５】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００３６】
本発明は、防虫および防塵機構を備えた昇降式吊戸棚、およびこれを備えたシステムキッチンに適用可能である。
【図面の簡単な説明】
【００３７】
【図１】本発明の実施形態である昇降式吊戸棚を含むキッチンの全体図である。
【図２】昇降式吊戸棚の斜視図である。
【図３】キャビネットの斜視図である。
【図４】昇降式戸棚の底面図である。
【図５】本実施形態にかかる摺動パッキンと昇降ラックの外周面の下端を拡大した図である。
【符号の説明】
【００３８】
１００  …昇降式吊戸棚
１１０  …システムキッチン
１２０  …ワークトップ
１３０  …シンク
１４０  …調理スペース
１５０  …コンロ
１６０  …レンジフード
１７０  …キャビネット
１７０ａ  …キャビネットの天板の前面
１７０ｂ  …側板の前面
１７２  …扉
１７４  …上扉
１７６  …下扉
１８２  …固定パッキン
１８４  …摺動パッキン
１９０  …昇降ラック
１９２  …底板
１９４  …側板
１９４ａ  …段差
５００  …壁
【図１】
2009011392.tif 000003
【図２】
2009011392.tif 000004
【図３】
2009011392.tif 000005
【図４】
2009011392.tif 000006
【図５】
2009011392.tif 000007